(57)【要約】【課題】系統連系された電力供給システムの出力制御スケジュールの種別を容易に確認できる情報表示方法を提供する。【解決手段】実施形態の一例である情報表示システム１０は、系統連系された電力供給システム２に関する情報を表示する表示部１２を有する情報端末１１と、表示部１２に、電力事業者から提供される電力供給システム２の出力制御スケジュールの種別を表示させる制御装置１６とを備える。【選択図】図２
2018190066.tif 000002
【特許請求の範囲】
【請求項１】
系統連系された電力供給システムに関する情報を情報端末の表示部に表示する情報表示方法であって、
前記表示部に、電力事業者から提供される前記電力供給システムの出力制御スケジュールの種別を表示する、情報表示方法。
【請求項２】
前記出力制御スケジュールに基づく前記電力供給システムの出力制御が実行されているときに、前記表示部に当該出力制御が実行中であることを表示すると共に、前記出力制御スケジュールの種別を表示する、請求項１に記載の情報表示方法。
【請求項３】
前記出力制御スケジュールの種別には、第１期間の電力需給予測に基づいて決定される固定スケジュール、および前記第１期間よりも短い第２期間の電力需給予測に基づいて決定される更新スケジュールが含まれる、請求項１または２に記載の情報表示方法。
【請求項４】
前記表示部に、前記出力制御スケジュールの情報を取得した日付または日時を表示する、請求項１〜３のいずれか１項に記載の情報表示方法。
【請求項５】
前記表示部に、前記出力制御スケジュールに対応する時刻を表示する、請求項１〜４のいずれか１項に記載の情報表示方法。
【請求項６】
前記時刻は、前記出力制御スケジュールの提供元である前記電力事業者と同期している、請求項５に記載の情報表示方法。
【請求項７】
前記時刻は、設定時刻からの変更が所定範囲内に制限され、
前記表示部に、前記設定時刻の変更を受け付ける時刻変更画面を表示する、請求項５に記載の情報表示方法。
【請求項８】
系統連系された電力供給システムに関する情報を表示する表示部を有する情報端末と、
前記表示部に、電力事業者から提供される前記電力供給システムの出力制御スケジュールの種別を表示させる制御装置と、
を備える、情報表示システム。
【請求項９】
請求項１〜７のいずれか１項に記載の情報表示方法をコンピュータで実現するための情報表示プログラム。
【発明の詳細な説明】
【技術分野】
【０００１】
本開示は、情報表示方法、情報表示システム、および情報表示プログラムに関する。
【背景技術】
【０００２】
太陽光発電、風力発電等の再生可能エネルギーで発電された電力は、一般的に、電力系統（系統）に供給され、電力会社等の電力事業者に買い取られる。電力事業者は、電力の需給バランスを維持して安定した電力供給を行う役割を担っているため、太陽光発電装置等の電力供給システムを保有する発電事業者に対して系統に供給する電力（以下、「有効電力」という場合がある）を抑えるように要請する場合がある。例えば、１年間の電力需給予測に基づいて電力事業者が作成した出力制御スケジュールにより系統に供給する有効電力が制御される。或いは、１年よりも短い期間の電力需給予測に基づいて更新された出力制御スケジュールに基づいて有効電力が制御される場合もある。
【０００３】
なお、特許文献１には、系統の電圧値を安定化させるべく系統に供給する有効電力が抑制された場合に、本来系統に供給できたはずの発電量に応じて各発電事業者間で公平に収益を分配するための料金管理装置が開示されている。
【先行技術文献】
【特許文献】
【０００４】
【特許文献１】特開２０１１−１７６９４８号公報
【発明の概要】
【発明が解決しようとする課題】
【０００５】
ところで、電力事業者の要請で電力供給システムの出力（有効電力）が制御される場合に、発電事業者が出力制御の内容を容易に確認できることが望ましい。例えば、発電事業者において、出力制御スケジュールが適切に更新されているか、更新されたスケジュールに基づいて適切な出力制御が実行されているかといった情報を容易に確認することができれば便利である。
【課題を解決するための手段】
【０００６】
本開示の一態様である情報表示方法は、系統連系された電力供給システムに関する情報を情報端末の表示部に表示する情報表示方法であって、前記表示部に、電力事業者から提供される前記電力供給システムの出力制御スケジュールの種別を表示することを特徴とする。
【０００７】
本開示の一態様である情報表示システムは、系統連系された電力供給システムに関する情報を表示する表示部を有する情報端末と、前記表示部に、電力事業者から提供される前記電力供給システムの出力制御スケジュールの種別を表示させる制御装置とを備えることを特徴とする。
【０００８】
本開示の一態様である情報表示プログラムは、上記情報表示方法をコンピュータで実現するためのプログラムである。
【発明の効果】
【０００９】
本開示の一態様である情報表示方法によれば、系統連系された電力供給システムの出力制御スケジュールの種別を容易に確認することができる。
【図面の簡単な説明】
【００１０】
【図１】実施形態の一例である情報表示システムおよび施設に設置された他のシステム、設備を示す図である。
【図２】実施形態の一例である情報表示システムおよび出力制御システムの構成を示すブロック図である。
【図３】表示部のホーム画面の一例を示す図である。
【図４】出力制御スケジュールに基づく電力供給システムの出力制御が実行中である場合のホーム画面の一例を示す図である。
【図５】出力制御の詳細を表示する画面の一例を示す図である。
【図６】電力供給システムの発電量を表示する画面の一例を示す図である。
【図７Ａ】時刻変更画面の一例を示す図である。
【図７Ｂ】時刻設定エラーを表示する画面の一例を示す図である。
【図８】実施形態の一例である情報表示方法の手順を示すフローチャートである。
【図９】実施形態の一例である時刻変更方法の手順を示すフローチャートである。
【発明を実施するための形態】
【００１１】
以下、図面を参照しながら、本開示の情報表示方法、情報表示システム、および情報表示プログラムの実施形態について詳細に説明する。但し、本開示の情報表示方法、情報表示システム、および情報表示プログラムは、以下で説明する実施形態に限定されない。また、以下で説明する複数の実施形態の各構成要素を選択的に組み合わせることは当初から想定されている。
【００１２】
本開示における装置、システム、および方法の主体は、コンピュータを備えている。このコンピュータがプログラムを実行することによって、本開示における装置、システム、および方法の主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの装置に集約されていてもよく、複数の装置に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１３】
本実施形態では、系統連系された電力供給システムが設置される施設１として、戸建の住宅を例示する。但し、施設１は特に限定されず、マンション等の集合住宅、学校、図書館等の公共施設、店舗、オフィス、工場などであってもよく、メガソーラーと呼ばれる大規模な太陽光発電所であってもよい。
【００１４】
図１は、施設１に設置されるシステムおよび設備を示す図である。図２は、実施形態の一例である情報表示システム１０および出力制御システム４０の構成を示すブロック図である。図１および図２に例示するように、情報表示システム１０は、系統連系された電力供給システム２に関する情報を表示する表示部１２を有する情報端末１１と、制御装置１６とを備える。制御装置１６は、情報端末１１の表示部１２に、電力事業者から提供される電力供給システム２の出力制御スケジュールの種別を表示させる機能を有する。
【００１５】
情報表示システム１０は、表示部１２に、電力事業者から提供される出力制御スケジュールの種別を表示する情報表示方法を実現するためのシステムの好適な一例である。情報表示システム１０によれば、発電事業者において、出力制御スケジュールの種別を含む電力供給システム２に関する情報を容易に確認することができる。本明細書において、発電事業者とは、電力供給システム２を使用して電力事業者に売電する者を意味し、家庭用発電設備を所有する個人を含む。電力供給システム２は電力系統に電力を供給するシステムであって、出力制御スケジュールは電力供給システム２の出力を制御して安定した電力供給を実現するために電力事業者から提供される出力制御計画である。
【００１６】
図１に示す例では、電力供給システム２が設置された施設１（戸建の住宅）に、情報表示システム１０が設置されている。但し、情報表示システム１０は施設１に設置されていなくてもよい。情報表示システム１０は、施設１と別の場所に設置されてもよく、ノートパソコン、タブレット端末、スマートフォン等のモバイル端末で構成されていてもよい。
【００１７】
施設１には、交流電源の幹線（１次幹線）が接続される電力量計と、電力量計から出た２次幹線を分岐する分電盤２０とが設置されている。図１に示す例では、電力量計として、施設１の消費電力および消費電力量を計測する買電メータ２１と、電力供給システム２から系統に供給（以下、「逆潮流」という場合がある）される電力および電力量を計測する売電メータ２２とが設けられている。なお、当該２つのメータは一体化されていてもよい。電力量計は、例えば通信機能を有し、情報表示システム１０は電力量計から情報端末１１の表示部１２に表示する計測データを取得してもよい。
【００１８】
施設１には、電力を使用する電気機器として、テレビ２３、冷蔵庫２４、エアコン２５、ＩＨクッキングヒータ２６、および照明２７等が設けられている。施設１で使用される電気機器としては、これらに限定されず、電子レンジ、パソコン、洗濯機、ドライヤー、床暖房などが例示できる。
【００１９】
施設１には、系統連系された電力供給システム２として、太陽光発電装置３０および燃料電池装置３２が設置されている。なお、電力供給システム２はこれらに限定されない。また、施設１には蓄電装置３４が設置されている。本実施形態では、太陽光発電装置３０および燃料電池装置３２で発電され、上記電気機器で使用されずに余った電力が蓄電装置３４に充電され、また系統に供給される。蓄電装置３４に充電された電力は、例えば太陽光発電装置３０が発電しない夜間に使用される。太陽光発電装置３０で発電された電力の全量が系統に供給されてもよく、場合によっては、蓄電装置３４に蓄電された電力を系統に供給することも可能である。
【００２０】
太陽光発電装置３０は、複数の太陽電池モジュールから構成され、太陽光が照射される昼間に太陽光を受光して発電する発電設備である。太陽光発電装置３０は、例えば施設１の屋根に設置される。一般的に、太陽光発電装置３０にはパワーコンディショナ３１（以下、「パワコン３１」とする）が接続され、パワコン３１によって太陽光発電装置３０で発電された直流電力が交流電力に変換される。また、パワコン３１は、太陽光発電装置３０の出力を制御し、系統に供給される有効電力を制御する機能を有する。
【００２１】
燃料電池装置３２は、ガスから取り出した水素を空気中の酸素と反応させて発電する発電設備であって、２４時間発電が可能である。燃料電池装置３２は、発電時に発生する熱を利用してお湯を沸かす給湯機の機能も有することが好ましい。燃料電池装置３２にはパワーコンディショナ３３（以下、「パワコン３３」とする）が接続され、パワコン３３によって燃料電池装置３２で発電された直流電力が交流電力に変換される。燃料電池装置３２は、パワコン３３によって系統に供給される有効電力が制御されてもよいが、好ましくは燃料電池装置３２の運転状態の変更により発電量が制御される。
【００２２】
蓄電装置３４は、太陽光発電装置３０で発電された電力を蓄電するための装置であって、繰り返し充放電が可能な二次電池で構成される。パワコン３１で直流から交流に変換された電力は、パワーコンディショナ３５（以下、「パワコン３５」とする）で再び直流に変換され、蓄電装置３４に蓄電される。図１に示す例では、パワコン３１，３５が設けられているが、これらを一体化することも可能である。
【００２３】
電力供給システム２から系統に供給される有効電力は、電力事業者から提供される出力制御スケジュールに基づいて制御される。施設１には、例えば出力制御スケジュールの情報を取得する取得部４１と、当該スケジュールの情報を記憶する記憶部４２と、当該スケジュールの情報に基づいて電力供給システム２の出力を制御する出力部４３とを有する出力制御システム４０が設置されている。詳しくは後述するが、出力制御スケジュールには、電力供給システム２から系統に供給される有効電力を抑制する日時と出力制御値の情報が含まれている。
【００２４】
取得部４１は、例えばインターネット回線または専用回線を介して電力事業者のサーバ４５にアクセスし、出力制御スケジュールの情報を取得する。以下、出力制御スケジュールの情報（当該スケジュールに関する情報を含む）を単に「出力制御スケジュール」という場合がある。また、取得部４１は、サーバ４５から送信される出力制御スケジュールを取得してもよく、特定の配信事業者を介して当該スケジュールを取得してもよい。取得部４１は、取得した出力制御スケジュールを記憶部４２に記憶させる。
【００２５】
取得部４１は、サーバ４５等との通信により所定の頻度で出力制御スケジュールを取得する。取得部４１によって自動で出力制御スケジュールが取得される場合は、例えば１日に１回程度の頻度で当該スケジュールが取得される。一方、出力制御システム４０がサーバ４５と通信できるように構成されていない場合は、例えば１年に１回程度の頻度で出力制御スケジュールが手動で書き換えられる。
【００２６】
記憶部４２は、出力制御スケジュールの他に、出力制御システム４０の機能を実現するための制御プログラム、電力供給システム２による発電量、売電量などを記憶していてもよい。記憶部４２は、コンピュータが読み取り可能なＲＯＭ、光ディスク、ハードディスクドライブ等の非一時的記憶媒体で構成される。
【００２７】
出力部４３は、例えば出力制御スケジュールに基づいてパワコン３１、燃料電池装置３２等に、系統に供給される有効電力を抑制するための制御指令を出力する。かかる制御指令を受信したパワコン３１は、太陽光発電装置３０の発電量自体を抑制してもよく、系統から電力（無効電力）を入力して逆潮流される有効電力を抑制してもよい。また、出力部４３の制御指令によって、例えば燃料電池装置３２の発電が停止される、或いは蓄電装置３４の充電量が増加されることで、逆潮流される有効電力が抑制される。なお、出力部４３は、パワコン３１等の制御対象機器との通信を中継する中継装置に信号（制御指令）を送信してもよい。また、出力制御システム４０および情報表示システム１０で使用される通信プロトコルは特に限定されず、例えば出力部４３の信号はEchonet-liteで送信されてもよい。
【００２８】
出力制御システム４０は、さらに、出力制御スケジュールに基づく出力制御の実行に使用される時刻を設定する時刻設定部４４を有する。時刻設定部４４が設定した時刻は、例えば記憶部４２に記憶される。出力部４３は、当該時刻と出力制御スケジュールとに基づいて電力供給システム２に制御指令を出力する。時刻設定部４４は、例えばインターネット回線または専用回線を介してサーバ４５または配信事業者のサーバから時計情報を取得し、当該時計情報と同期した時刻を設定する。なお、時刻設定部４４は、全地球測位システム（ＧＰＳ）を利用した時刻同期を実行してもよい。
【００２９】
時刻設定部４４は、サービスマンにより手動で入力された時刻を上記出力制御の実行に使用される時刻として設定してもよい。時刻設定部４４は、例えば認証コードを受信することを条件として手動で入力された時刻を設定してもよい。認証コードは、サービスマンにより入力される、発電事業者が知らないコードである。詳しくは後述するが、時刻設定部４４は、手動による時刻調整機能を有していてもよい。但し、時計の改ざんを防止するため、１日につき±１０分以内のように、時刻の変更を所定範囲内に制限することが好ましい。
【００３０】
情報表示システム１０は、上述のように、系統連系された電力供給システム２に関する情報を情報端末１１の表示部１２に表示して発電事業者に知らせるためのシステムである。情報表示システム１０は、例えば電力事業者のサーバ４５または配信事業者のサーバとの通信により電力供給システム２の出力制御に関する情報を取得する。本実施形態では、情報表示システム１０が出力制御システム４０を介して出力制御スケジュールを含む出力制御に関する情報を取得し、当該情報を情報端末１１の表示部１２に表示する。
【００３１】
情報表示システム１０は、出力制御システム４０の記憶部４２に記憶された情報、プログラム等を使用できる。情報表示システム１０は、例えば記憶部４２から出力制御スケジュールを含む情報を読み出して表示部１２に表示する。なお、情報表示システム１０は、取得部４１と同様の機能を有し、サーバ４５等との通信により所定の頻度で出力制御スケジュールを取得してもよい。
【００３２】
情報表示システム１０は、例えばプロセッサ（ＣＰＵ）、メモリ、入出力ポート等を含む１つまたは複数の機器を備えたコンピュータで構築される。図１に示す例では、ホームサーバ１５によって制御装置１６が構成され、情報端末１１および制御装置１６が別の機器で構成されているが、これらは１つの機器で構成されていてもよい。すなわち、情報表示システム１０は、１つまたは複数の機器で構成することができる。また、情報表示システム１０は、システムの一部がインターネット等のネットワークで接続された１つまたは複数のサーバで構築されてもよい。
【００３３】
情報表示システム１０は、出力制御システム４０の一部として構成されていてもよい。また、施設１には、施設全体の消費電力量を監視し、各電気機器を制御するエネルギー管理システムが設置されていてもよく、情報表示システム１０および出力制御システム４０は、当該エネルギー管理システムの一部として構成されていてもよい。情報表示システム１０の制御装置１６および出力制御システム４０は別の機器で構成されていてもよいが、本実施形態では、制御装置１６および出力制御システム４０が１つのホームサーバ１５で構成されている。
【００３４】
情報端末１１は、電力供給システム２に関する情報を表示可能な表示部１２を有する端末装置である。好適な表示部１２は、液晶ディスプレイ、有機ＥＬディスプレイ等のディスプレイである。情報端末１１は、さらに、表示部１２の画面を切り替えるための操作部１３を有することが好ましい。操作部１３としては、ボタン、テンキー、キーボード等が例示でき、表示部１２と一体化されたタッチパネルであってもよい。
【００３５】
情報端末１１は、例えば施設１内に設置される専用端末であるが、施設１と別の場所に設置されてもよく、ノートパソコン、タブレット端末、スマートフォン等のモバイル端末で構成されていてもよい。また、情報端末１１は、複数設けられてもよく、出力制御システム４０および上記エネルギー管理システムの端末装置として兼用されてもよい。図１に示す例では、情報端末１１およびホームサーバ１５が別の機器で構成されているが、これらは一体化された１つの機器で構成されてもよい。
【００３６】
制御装置１６は、情報端末１１の表示部１２に電力供給システム２に関する情報を表示させる。制御装置１６は、出力制御スケジュールの種別を表示部１２に表示させる第１出力部１７と、出力制御スケジュールに対応する時刻を表示部１２に表示させる第２出力部１８とを有する。第１出力部１７は、電力事業者のサーバ４５等から出力制御スケジュールを取得してもよいが、本実施形態では、出力制御システム４０の記憶部４２に記憶された出力制御スケジュールの情報を読み出し、その種別を表示部１２に表示させる。第２出力部１８も同様に、記憶部４２から時計情報を読み出し、表示部１２に表示させる。
【００３７】
出力制御スケジュールの種別には、第１期間の電力需給予測に基づいて決定される固定スケジュール、および第１期間よりも短い第２期間の電力需給予測に基づいて決定される更新スケジュールが含まれる。出力制御スケジュールには、例えばＡ日の９時〜９時３０分が制御率５０％、Ａ日の９時３０分〜１０時が制御率１００％のように、電力供給システム２の出力制御が実行される日時と、そのときの出力制御値（制御率）とが規定されている。制御率５０％の場合、逆潮流可能な有効電力の５０％が制限される。制御率１００％の場合は、電力供給システム２の出力が制限されず１００％の出力が可能である。
【００３８】
ここで、第１期間の一例は１年であり、第２期間の一例は１日である。１年先の電力需給予測の精度は前日の需給予測の精度よりも低いため、固定スケジュールに基づく出力制御では電力供給システム２の出力抑制が大きくなる傾向にある。このため、出力制御システム４０の出力部４３は、更新スケジュールが取得されたときには当該スケジュールに基づく出力制御を実行し、更新スケジュールが存在しない場合に固定スケジュールに基づく出力制御を実行する。なお、出力制御システム４０が通信環境にない場合は、例えば固定スケジュールのみで電力供給システム２の出力が制御され、第１出力部１７は出力制御スケジュールの種別として固定スケジュールを表示させる。
【００３９】
第１出力部１７は、更新スケジュールが取得されたときに、更新スケジュールに関する情報を情報端末１１の表示部１２に表示させてもよい。更新スケジュールに関する情報としては、単に更新スケジュールが取得されたことを示すものであってもよく、更新スケジュールを取得した日付または日時の情報などが含まれていてもよい。また、第１出力部１７は、電力供給システム２の出力制御が実行される日時、出力制御値等の更新スケジュールの内容を表示部１２に表示させてもよい。
【００４０】
他方、更新スケジュールが存在しない場合、第１出力部１７は、固定スケジュールに関する情報を表示部１２に表示させる。固定スケジュールに関する情報の例としては、固定スケジュールを取得した日付または日時の情報、電力供給システム２の出力制御が実行される日時、出力制御値等の固定スケジュールの内容などが挙げられる。
【００４１】
第１出力部１７は、出力制御スケジュールに基づく電力供給システム２の出力制御が実行されているときに、表示部１２に当該出力制御が実行中であることを表示させると共に、出力制御スケジュールの種別を表示させることが好ましい。第１出力部１７は、例えば出力制御スケジュールに基づく出力制御が実施されている場合にのみ、スケジュールの種別を表示させる。つまり、第１出力部１７は、実行中の出力制御の基となる出力制御スケジュールの種別を表示部１２に表示させる。
【００４２】
図３および図４は、表示部１２のホーム画面の一例を示す図である。図３は出力制御スケジュールに基づく電力供給システム２の出力制御が実行されていない場合のホーム画面を、図４は当該出力制御が実行中である場合のホーム画面をそれぞれ示す図である。ホーム画面は、情報表示システム１０の起動時に表示される画面である。また、表示部１２が所定期間操作されていないとき、表示部１２が所定期間操作されなかった後に操作されたとき、またはリセット操作されたときに、表示部１２に最初に表示される操作用の画面（操作受け付け画面）としてホーム画面が表示されてもよい。
【００４３】
図３および図４に例示するように、表示部１２のホーム画面には、壁紙画像と、メニューボタンと、お知らせボックスとが表示されている。図３および図４に示す例では、壁紙画像として家のイラストが表示されているが、壁紙画像は特に限定されない。また、ホーム画面には、発電電力および消費電力の情報が表示されているが、表示される情報は特に限定されない。メニューボタン、お知らせボックスは、ホーム画面の下部に表示されている。お知らせボックスには、例えば電力供給システム２の情報を含む施設１に関する情報が表示され、電力事業者から配信される情報が表示されてもよい。また、お知らせボックスに、出力制御スケジュールに関する情報が表示されてもよい。
【００４４】
メニューボタンは、例えば種々の設定を行うための操作部１３であって、メニューボタンの操作により種々の設定情報を受け付ける入力画面が表示される。メニューボタンは、ホーム画面から他の画面に切り替えるためのボタンであってもよく、発電事業者（以下、「ユーザー」という場合がある）はこのボタンを操作することで電力供給システム２に関する種々の情報を表示部１２に表示させることができる。さらに、情報端末１１が出力制御システム４０、上記エネルギー管理システム等の端末装置として兼用されている場合は、メニューボタン等を操作して電力供給システム２の設定変更などを行うことができる。
【００４５】
図４に例示するように、ホーム画面には、出力制御スケジュールに基づく電力供給システム２の出力制御が実行中であるときに、「出力制御中」の文字が表示される。第１出力部１７は、例えば出力制御システム４０から出力制御スケジュールの情報および時計情報を取得し、出力制御スケジュールに基づく出力制御が実行される時間に「出力制御中」の文字を表示させる。また、第１出力部１７は、出力部４３から制御指令が出力されたときに「出力制御中」の文字を表示させてもよい。
【００４６】
図４（ａ）に例示するように、第１出力部１７は、固定スケジュールに基づく出力制御が実行中であるときに、「出力制御中」の文字を表示させてもよい。他方、図４（ｂ）に例示するように、更新スケジュールに基づく出力制御が実行中であるときには、「出力制御中」の文字に加えて、その文字の下にバー（アンダーバー）を表示させてもよい。つまり、アンダーバーの有無によって、実行中の出力制御の基となる出力制御スケジュールの種別が容易に確認できる。アンダーバーは、更新スケジュールに基づく出力制御が実行中であることを容易に認識させることが可能でありながら、ノイズになり難い。
【００４７】
ホーム画面における「出力制御中」の表示は、ユーザーにより操作されるボタンとして表示されてもよい。「出力制御中」の文字が表示されたボタンを押すと、出力制御に関する説明がポップアップ表示されてもよい。なお、出力制御スケジュールの種別、当該スケジュールに基づく出力制御の有無に関する表示は、「出力制御中」の文字およびアンダーバーに限定されず、他の文字や記号であってもよい。また、図４に示す例では、「出力制御中」の文字およびアンダーバーがメニューボタンの左側に並んで表示されているが、その表示場所は特に限定されない。
【００４８】
図５は、出力制御の詳細を表示する画面の一例を示す図である。図５に例示する画面には、出力制御の度合いを示す制御率が所定の時間単位毎に表示されている。ユーザーは、「出力制御中」の文字が表示されたボタンを押すことで、出力制御の詳細を表示する当該画面に切り替えることができる。図５に示す例では、１６：００が４０％（１６：００〜１６：３０の制御率が４０％）、１６：３０が１００％（１６：３０〜１７：００の制御率が１００％）のように、３０分毎に制御率が表示されている。この画面には、制御率の表の上に、午前と午後を切り替えるボタンが表示され、ユーザーはこのボタンを操作することで、午前と午後の画面を切り替えることができる。
【００４９】
図５に例示する画面には、出力制御スケジュールの情報を取得した日付が、更新日として表示されている。また、当該取得日の情報に加えて出力制御スケジュールの有効期限が表示されてもよく、スケジュール情報の取得時間が表示されてもよい。所定の時間単位毎の制御率を表示する画面では、現在の時刻を含む時間帯の表示部分が、他の時間帯の表示部分と異なる態様で表示されてもよい。この場合、現在の制御率を把握することが容易になる。
【００５０】
図６は、電力供給システム２の発電量を表示する画面の一例を示す図である。図６に例示するように、表示部１２には、電力供給システム２を構成する太陽光発電装置３０、燃料電池装置３２毎の発電量、前日の発電量、および蓄電装置３４の充電時間等が表示されてもよい。また、表示部１２には、買電量、売電量、使用電力量、お湯、水、ガスの使用量等が、日、週、月、年の所定の期間単位で表示されてもよい。図６に示す例では、発電量等を示す棒グラフにおいて、燃料電池発電のデータの上に太陽光発電のデータが表示されている。この場合、太陽光発電の発電量等の変化を確認し易くなる。当該グラフには、比較データとして、前日などの指定日における発電量等が折れ線グラフで表示されてもよい。表示部１２の画面には、これらの情報を表示する画面に切り替えるための各操作ボタンが表示されている。図６に示す例では、発電量を表示させる操作ボタンが選択されており、選択されたボタンが他のボタンと異なる態様で表示されている。
【００５１】
さらに、表示部１２には、出力制御スケジュールに対応する時刻、すなわち出力制御スケジュールに基づく出力制御の実行に使用される時刻が表示される。本実施形態では、電力供給システム２の発電量等を表示する画面、およびホーム画面（図３，４参照）に当該時刻が表示されているが、当該時刻は他の画面に表示されてもよい。第２出力部１８は、例えば出力制御システム４０から時計情報を取得し、日付と共に時刻を表示させる。この時刻は、出力制御スケジュールの提供元である電力事業者と同期している。
【００５２】
図７Ａは、時刻変更画面の一例を示す図である。出力制御スケジュールに基づく出力制御の実行に使用される時刻は、上述の通り手動で調整可能であり、図７Ａに例示するように、表示部１２には現在の設定時刻の変更（調整）を受け付ける時刻変更画面が表示される。時刻の変更は出力制御システム４０の時刻設定部４４の機能により実行され、時刻変更画面の表示は第２出力部１８の機能により実行される。なお、ネットワーク接続時、すなわち出力制御システム４０がサーバ４５等との通信環境にある場合は、例えば時刻がサーバ４５等の時計情報と同期され、ユーザーによる時刻変更が禁止される。
【００５３】
時刻変更画面には、例えば現在の設定時刻、および時刻を調整するための操作ボタン等が表示される。時刻設定部４４は、ユーザーによる手動操作において時刻の変更のみを許可し、日付の変更は不可とする。このため、第２出力部１８は、時刻のみの変更を受け付ける画面を表示部１２に表示させる。時刻の変更についても、時計の改ざんを防止するため、１日につき±１０分以内のように所定範囲内に制限されるので、表示部１２には、時刻変更の範囲が制限されることをユーザーに知らせるための情報を表示することが好ましい。第２出力部１８は、例えば「現在の時刻から１日１回±１０分の範囲で調整できます。」のような文字を時刻変更画面の目立つ場所に表示させる。
【００５４】
図７Ｂは、時刻設定エラーを表示する画面の一例を示す図である。ユーザーが入力した時刻が制限範囲を超えている場合は、そのことをユーザーに知らせて再入力を促すことが好ましい。この場合、図７Ｂに例示するように、「時刻設定可能な範囲を超えています。再度設定して下さい。」のような文字を含むエラー画面が表示される。
【００５５】
情報表示システム１０は、例えば記憶部４２に記憶された情報表示プログラムを読み出して実行することにより、第１出力部１７および第２出力部１８の各機能を実現する。情報表示プログラムは、後述のフローチャートに例示するような情報表示システム１０による情報表示方法をコンピュータで実現するためのプログラムである。出力制御システム４０についても同様に、記憶部４２に記憶されたプログラムを読み出して実行することにより、取得部４１、出力部４３、および時刻設定部４４の各機能を実現する。
【００５６】
図８は、出力制御スケジュールに基づく電力供給システム２の出力制御、および当該出力制御に関する情報を情報端末１１の表示部１２に表示する手順の一例を示すフローチャートである。
【００５７】
図８に例示するように、出力制御システム４０は、例えば電力事業者のサーバ４５にアクセスして１年に１回程度の頻度で固定スケジュールを取得する（Ｓ１０）。また、１日に１回程度の頻度で更新スケジュールを取得する（Ｓ１１）。Ｓ１０およびＳ１１は、出力制御システム４０の取得部４１の機能によって実行される。Ｓ１１で更新スケジュールが取得された場合は、更新スケジュールに基づいて電力供給システム２の出力制御を実行し（Ｓ１２）、更新スケジュールが取得されなかった場合は、固定スケジュールに基づいて電力供給システム２の出力制御を実行する（Ｓ１３）。Ｓ１２およびＳ１３は、出力部４３の機能によって実行される。
【００５８】
Ｓ１２で更新スケジュールに基づく出力制御が実行中であると判定された場合は、表示部１２に更新スケジュールに基づく出力制御が実行中であることを表示すると共に、出力制御スケジュールの種別（更新スケジュール）を表示する（Ｓ１３）。本実施形態では、ホーム画面の下部に「出力制御中」の文字に加え、アンダーバーが表示される。そして、当該出力制御が終了するまで、「出力制御中」の文字とアンダーバーが継続して表示される（Ｓ１４，Ｓ１５）。Ｓ１３〜Ｓ１５は、第１出力部１７の機能によって実行される。
【００５９】
他方、Ｓ１６で固定スケジュールに基づく出力制御が実行中であると判定された場合は、表示部１２に固定スケジュールに基づく出力制御が実行中であることを表示すると共に、出力制御スケジュールの種別（固定スケジュール）を表示する（Ｓ１７）。本実施形態では、ホーム画面の下部に「出力制御中」の文字が表示される。そして、当該出力制御が終了するまで「出力制御中」の文字が継続して表示される（Ｓ１８，Ｓ１９）。Ｓ１７〜Ｓ１９は、第１出力部１７の機能によって実行される。
【００６０】
また、本実施形態の情報表示方法では、情報端末１１の表示部１２に、出力制御スケジュールを取得した日付または日時を表示してもよく、出力制御スケジュールに対応する時刻を表示してもよい。
【００６１】
図９は、出力制御スケジュールに対応する時刻、すなわち出力制御スケジュールに基づく出力制御の実行に使用される時刻を変更する手順を示すフローチャートである。
【００６２】
図９に例示するように、メニューボタン等の情報端末１１の操作部１３がユーザーにより操作され、時刻変更処理の開始信号を受信した場合に、現在の設定時刻の変更を受け付ける時刻変更画面を表示部１２に表示する（Ｓ２０，Ｓ２１）。Ｓ２０，Ｓ２１は、第２出力部１８の機能によって実行される。時刻変更画面には、現在の設定時刻および時刻を入力するための操作ボタン等が表示され、ユーザーは操作ボタンによって新たな時刻を入力することができる。
【００６３】
続いて、時刻変更画面で入力された時刻が、現在の設定時刻±α以内であるかを判定し（Ｓ２２）、±α以内であった場合に時刻の変更を許可する（Ｓ２３）。そして、時刻の変更が許可された場合、その時刻を表示部１２に表示する（Ｓ２４）。Ｓ２２，Ｓ２３は時刻設定部４４の機能によって実行され、Ｓ２４は第２出力部１８の機能によって実行される。時刻の変更は、時計の改ざんを防止するため、１日につき±１０分以内のように所定範囲内に制限される。このため、時刻変更画面には、「現在の時刻から１日１回±１０分の範囲で調整できます。」のような文字が目立つ場所に表示される。
【符号の説明】
【００６４】
１  施設、２  電力供給システム、１０  情報表示システム、１１  情報端末、１２  表示部、１３  操作部、１５  ホームサーバ、１６  制御装置、１７  第１出力部、１８  第２出力部、２０  分電盤、２１  買電メータ、２２  売電メータ、２３  テレビ、２４  冷蔵庫、２５  エアコン、２６  ＩＨクッキングヒータ、２７  照明、３０  太陽光発電装置、３１，３３，３５  パワーコンディショナ（パワコン）、３２  燃料電池装置、３４  蓄電装置、４０  出力制御システム、４１  取得部、４２  記憶部、４３  出力部、４４  時刻設定部、４５  サーバ
【図１】
2018190066.tif 000003
【図２】
2018190066.tif 000004
【図３】
2018190066.tif 000005
【図４】
2018190066.tif 000006
【図５】
2018190066.tif 000007
【図６】
2018190066.tif 000008
【図７Ａ】
2018190066.tif 000009
【図７Ｂ】
2018190066.tif 000010
【図８】
2018190066.tif 000011
【図９】
2018190066.tif 000012